【手続補正書】
【提出日】平成27年7月16日(2015.7.16)
【手続補正１】
【補正対象書類名】特許請求の範囲
【補正対象項目名】全文
【補正方法】変更
【補正の内容】
【特許請求の範囲】
【請求項１】
セットトップボックスを制御する方法であって、
前記セットトップボックスを介して、リモート配置されたタッチセンサ方式スクリーンから座標を受け取るステップと、
前記セットトップボックスを介して、前記セットトップボックスを制御するため、前記座標を解釈するステップと、
前記セットトップボックスを介して、解釈した前記座標に従って第１のアクションを実行するステップと、
前記セットトップボックスを介して、前記タッチセンサ方式スクリーンの動きに応じた信号を受け取る、前記動きはそれぞれ関連する加速値を有する、ステップと、
前記セットトップボックスを介して、第１の加速値を、ディスプレイ機能と関連するものとして解釈するステップと、
前記セットトップボックスを介して、前記第１の加速値とは異なる第２の加速値を、非ディスプレイ機能と関連するものとして解釈するステップと、
前記セットトップボックスを介して、受け取った加速値に基づいて、前記ディスプレイ機能のうちの１つ、または前記非ディスプレイ機能のうちの１つを選択的にイネーブルするステップとを有し、
前記ディスプレイ機能は、前記タッチセンサ方式スクリーンが第１の方向で配置されている時、前記タッチセンサ方式スクリーンが電子番組ガイド無しにビデオ部分を表示することを含み、
前記第１の方向から第１の向きの前記タッチセンサ方式スクリーンの第１の動きにより、前記タッチセンサ方式スクリーンが、前記電子番組ガイドと前記ビデオ部分が互いに第１のサイズ比を示す第１のディスプレイ構成で前記ビデオ部分とともに前記電子番組ガイドを表示し、
前記第１の方向からの、前記第１の向きとは異なる第２の向きの前記タッチセンサ方式スクリーンの第２の動きにより、前記タッチセンサ方式スクリーンが、前記電子番組ガイドと前記ビデオ部分が互いに第２のサイズ比を有する、前記第２のサイズ比は前記第１のサイズ比とは異なる、第２の第１のディスプレイ構成で前記ビデオ部分とともに前記電子番組ガイドを表示し、
前記電子番組ガイドは、前記ビデオ部分に表示する番組選択を可能とする複数のユーザ選択可能領域を含む、前記ユーザ選択可能領域のサイズは前記第１と第２のディスプレイ構成において異なる、
方法。
【請求項２】
前記第１のアクションを実行するステップは、前記セットトップボックスから前記タッチセンサ方式スクリーンに前記第１のアクションの結果を伝達するステップを含む、
請求項１に記載の方法。
【請求項３】
セットトップボックスの制御方法であって、
前記セットトップボックスを介して、リモート配置されたタッチセンサ方式スクリーンから座標を取得するステップと、
前記セットトップボックスを介して、前記セットトップボックスを制御するため、前記座標を解釈するステップと、
前記セットトップボックスを介して、前記解釈された座標に従ったカーソルの位置を形成するステップと、
前記セットトップボックスを介して、前記カーソルに従った第１の機能を起動するステップと、
前記セットトップボックスを介して、起動された前記第１の機能を前記タッチセンサ方式スクリーンに伝達するステップと、
前記セットトップボックスを介して、前記タッチセンサ方式スクリーンの動きに従った信号を受け取る、前記動きはそれぞれ関連する加速値を有する、ステップと、
前記セットトップボックスを介して、第１の加速値を、ディスプレイ機能と関連するものとして解釈するステップと、
前記セットトップボックスを介して、前記第１の加速値とは異なる第２の加速値を、非ディスプレイ機能と関連するものとして解釈するステップと、
前記セットトップボックスを介して、受け取った加速値に基づいて、前記ディスプレイ機能のうちの１つ、または前記非ディスプレイ機能のうちの１つを選択的にイネーブルするステップとを有し、
前記ディスプレイ機能は、前記タッチセンサ方式スクリーンが第１の方向で配置されている時、前記タッチセンサ方式スクリーンが電子番組ガイド無しにビデオ部分を表示することを含み、
前記第１の方向から第１の向きの前記タッチセンサ方式スクリーンの第１の動きにより、前記タッチセンサ方式スクリーンが、前記電子番組ガイドと前記ビデオ部分が互いに第１のサイズ比である第１のディスプレイ構成で、前記ビデオ部分とともに前記電子番組ガイドを表示し、
前記第１の方向からの、前記第１の向きとは異なる第２の向きの前記タッチセンサ方式スクリーンの第２の動きにより、前記タッチセンサ方式スクリーンが、前記電子番組ガイドと前記ビデオ部分が互いに第２のサイズ比を有する、前記第２のサイズ比は前記第１のサイズ比とは異なる、第２のディスプレイ構成で前記ビデオ部分とともに前記電子番組ガイドを表示し、
前記電子番組ガイドは、前記ビデオ部分に表示する番組選択を可能とする複数のユーザ選択可能領域を含む、前記ユーザ選択可能領域のサイズは前記第１と第２のディスプレイ構成において異なる、
方法。
【請求項４】
前記形成するステップは、前記座標が所定の座標値範囲を占めるのに従って前記カーソルの位置を選択するステップを追加的に有する、請求項３に記載の方法。
【請求項５】
前記形成するステップは、前記カーソルの位置に応じて機能を選択するステップを追加的に有する、請求項３に記載の方法。
【請求項６】
装置と関連するタッチセンサ方式スクリーンの動きに応じて信号を受け取る、前記動きはそれぞれ関連する加速値を有する、入力部と、
第１の加速値をディスプレイ機能と関連するものとして解釈し、前記第１の加速値とは異なる第２の加速値を非ディスプレイ機能と関連するものとして解釈するプロセッサであって、前記ディスプレイ機能のうちの１つまたは前記非ディスプレイ機能のうちの１つは受け取られた加速値に基づき実行される、プロセッサとを有し、
前記ディスプレイ機能は、前記タッチセンサ方式スクリーンが第１の方向で配置されている時、前記タッチセンサ方式スクリーンが電子番組ガイド無しにビデオ部分を表示することを含み、
前記第１の方向から第１の向きの前記タッチセンサ方式スクリーンの第１の動きにより、前記タッチセンサ方式スクリーンが、前記電子番組ガイドと前記ビデオ部分が互いに第１のサイズ比である第１のディスプレイ構成で、前記ビデオ部分とともに前記電子番組ガイドを表示し、
前記第１の方向からの、前記第１の向きとは異なる第２の向きの前記タッチセンサ方式スクリーンの第２の動きにより、前記タッチセンサ方式スクリーンが、前記電子番組ガイドと前記ビデオ部分が互いに第２のサイズ比を有する、前記第２のサイズ比は前記第１のサイズ比とは異なる、第２のディスプレイ構成で前記ビデオ部分とともに前記電子番組ガイドを表示し、
前記電子番組ガイドは、前記ビデオ部分に表示する番組選択を可能とする複数のユーザ選択可能領域を含む、前記ユーザ選択可能領域のサイズは前記第１と第２のディスプレイ構成において異なる、装置。
【請求項７】
前記解釈することは、ルックアップテーブルを用いて、前記受け取られた信号に応じた制御コマンドを特定することを有する、請求項６に記載の装置。
【請求項８】
前記解釈することは、追加的に、
前記受け取られた信号に応じて、前記タッチセンサ方式スクリーンの第１と第２の向きの変位を特定することと、
前記特定された第１と第２の向きの変位に応じて、それぞれ第１と第２の制御機能を起動することとを有する、
請求項６に記載の装置。
【請求項９】
前記ディスプレイ機能は前記タッチセンサ方式スクリーンのディスプレイ回転機能を含み、
前記非ディスプレイ機能は、音量変更機能及びオーディオ消音機能の起動のうち少なくとも一方を含む、
請求項１に記載の方法。
【請求項１０】
前記タッチセンサ方式スクリーンの回転により前記ディスプレイ機能のうちの１つが実行され、
前記タッチセンサ方式スクリーンのツイスト及びチルトのうち少なくとも一方により、前記非ディスプレイ機能のうちの１つが実行される、
請求項９に記載の方法。
【請求項１１】
前記ディスプレイ機能は前記タッチセンサ方式スクリーンのディスプレイ回転機能を含み、
前記非ディスプレイ機能は、音量変更機能及びオーディオ消音機能の起動のうち少なくとも一方を含む、
請求項３に記載の方法。
【請求項１２】
前記タッチセンサ方式スクリーンの回転により前記ディスプレイ機能のうちの１つが実行され、
前記タッチセンサ方式スクリーンのツイスト及びチルトのうち少なくとも一方により、前記非ディスプレイ機能のうちの１つが実行される、
請求項１１に記載の方法。
【請求項１３】
前記ディスプレイ機能は前記タッチセンサ方式スクリーンのディスプレイ回転機能を含み、
前記非ディスプレイ機能は、音量変更機能及びオーディオ消音機能の起動のうち少なくとも一方を含む、
請求項６に記載の装置。
【請求項１４】
前記タッチセンサ方式スクリーンの回転により前記ディスプレイ機能のうちの１つが実行され、
前記タッチセンサ方式スクリーンのツイスト及びチルトのうち少なくとも一方により、前記非ディスプレイ機能のうちの１つが実行される、
請求項１３に記載の装置。
【請求項１５】
リモート配置されたタッチセンサ方式スクリーンから座標を受け取り、
セットトップボックスを制御するため前記座標を解釈し、
解釈した前記座標に従って第１のアクションを実行し、
前記タッチセンサ方式スクリーンの動きに応じた信号を受け取り、前記動きはそれぞれ関連する加速値を有し、
第１の加速値を、ディスプレイ機能と関連するものとして解釈し、
前記第１の加速値とは異なる第２の加速値を、非ディスプレイ機能に関連するものとして解釈し、
受け取った加速値に基づいて、前記ディスプレイ機能のうちの１つ、または前記非ディスプレイ機能のうちの１つを選択的にイネーブルするように構成されたプロセッサを有し、
前記ディスプレイ機能は、前記タッチセンサ方式スクリーンが第１の方向で配置されている時、前記タッチセンサ方式スクリーンが電子番組ガイド無しにビデオ部分を表示することを含み、
前記第１の方向から第１の向きの前記タッチセンサ方式スクリーンの第１の動きにより、前記タッチセンサ方式スクリーンが、前記電子番組ガイドと前記ビデオ部分が互いに第１のサイズ比である第１のディスプレイ構成で、前記ビデオ部分とともに前記電子番組ガイドを表示し、
前記第１の方向からの、前記第１の向きとは異なる第２の向きの前記タッチセンサ方式スクリーンの第２の動きにより、前記タッチセンサ方式スクリーンが、前記電子番組ガイドと前記ビデオ部分が互いに第２のサイズ比を有する、前記第２のサイズ比は前記第１のサイズ比とは異なる、第２のディスプレイ構成で前記ビデオ部分とともに前記電子番組ガイドを表示し、
前記電子番組ガイドは、前記ビデオ部分に表示する番組選択を可能とする複数のユーザ選択可能領域を含む、前記ユーザ選択可能領域のサイズは前記第１と第２のディスプレイ構成において異なる、
装置。
【請求項１６】
前記第１のアクションは、前記セットトップボックスから前記タッチセンサ方式スクリーンに前記第１のアクションの結果を伝達することを含む、請求項１５に記載の装置。
【請求項１７】
前記ディスプレイ機能は前記タッチセンサ方式スクリーンのディスプレイ回転機能を含み、
前記非ディスプレイ機能は、音量変更機能及びオーディオ消音機能の起動のうち少なくとも一方を含む、
請求項１５に記載の装置。
【請求項１８】
前記タッチセンサ方式スクリーンの回転により前記ディスプレイ機能のうちの１つが実行され、
前記タッチセンサ方式スクリーンのツイスト及びチルトのうち少なくとも一方により、前記非ディスプレイ機能のうちの１つが実行される、
請求項１７に記載の装置。
【請求項１９】
リモート配置されたタッチセンサ方式スクリーンから座標を取得し、
セットトップボックスを制御するため前記座標を解釈し、
解釈した前記座標に従ってカーソルの位置を形成し、
前記カーソルに従って第１の機能を起動し、
起動された前記第１の機能を前記タッチセンサ方式スクリーンに伝達し、
前記タッチセンサ方式スクリーンの動きに応じた信号を受け取り、前記動きはそれぞれ関連する加速値を有し、
第１の加速値を、ディスプレイ機能と関連するものとして解釈し、
前記第１の加速値とは異なる第２の加速値を、非ディスプレイ機能に関連するものとして解釈し、
受け取った加速値に基づいて、前記ディスプレイ機能のうちの１つ、または前記非ディスプレイ機能のうちの１つを選択的にイネーブルするように構成されたプロセッサを有し、
前記ディスプレイ機能は、前記タッチセンサ方式スクリーンが第１の方向で配置されている時、前記タッチセンサ方式スクリーンが電子番組ガイド無しにビデオ部分を表示することを含み、
前記第１の方向から第１の向きの前記タッチセンサ方式スクリーンの第１の動きにより、前記タッチセンサ方式スクリーンが、前記電子番組ガイドと前記ビデオ部分が互いに第１のサイズ比である第１のディスプレイ構成で、前記ビデオ部分とともに前記電子番組ガイドを表示し、
前記第１の方向からの、前記第１の向きとは異なる第２の向きの前記タッチセンサ方式スクリーンの第２の動きにより、前記タッチセンサ方式スクリーンが、前記電子番組ガイドと前記ビデオ部分が互いに第２のサイズ比を有する、前記第２のサイズ比は前記第１のサイズ比とは異なる、第２のディスプレイ構成で前記ビデオ部分とともに前記電子番組ガイドを表示し、
前記電子番組ガイドは、前記ビデオ部分に表示する番組選択を可能とする複数のユーザ選択可能領域を含む、前記ユーザ選択可能領域のサイズは前記第１と第２のディスプレイ構成において異なる、
装置。
【請求項２０】
前記形成することは、前記座標が所定の座標値範囲を占めるのに従って前記カーソルの位置を選択することを追加的に含む、請求項１９に記載の装置。
【請求項２１】
前記形成することは、前記カーソルの位置に従って機能を選択するステップを追加的に有する、請求項１９に記載の装置。
【請求項２２】
前記ディスプレイ機能は前記タッチセンサ方式スクリーンのディスプレイ回転機能を含み、
前記非ディスプレイ機能は、音量変更機能及びオーディオ消音機能の起動のうち少なくとも一方を含む、
請求項２１に記載の装置。
【請求項２３】
前記タッチセンサ方式スクリーンの回転により前記ディスプレイ機能のうちの１つが実行され、
前記タッチセンサ方式スクリーンのツイスト及びチルトのうち少なくとも一方により、前記非ディスプレイ機能のうちの１つが実行される、
請求項２２に記載の装置。
【請求項２４】
装置と関連するタッチセンサ方式スクリーンの動きに応じて信号を受け取る、前記動きはそれぞれ関連する加速値を有する、ステップと、
第１の加速度値をディスプレイ機能と関連するものとして解釈し、前記第１の加速度値とは異なる第２の加速度値を非ディスプレイ機能と関連するものとして解釈し、前記ディスプレイ機能のうちの１つまたは前記非ディスプレイ機能のうちの１つは受け取られた加速度値に基づき実行される、ステップとを有し、
前記ディスプレイ機能は、前記タッチセンサ方式スクリーンが第１の方向で配置されている時、前記タッチセンサ方式スクリーンが電子番組ガイド無しにビデオ部分を表示することを含み、
前記第１の方向から第１の向きの前記タッチセンサ方式スクリーンの第１の動きにより、前記タッチセンサ方式スクリーンが、前記電子番組ガイドと前記ビデオ部分が互いに第１のサイズ比である第１のディスプレイ構成で、前記ビデオ部分とともに前記電子番組ガイドを表示し、
前記第１の方向からの、前記第１の向きとは異なる第２の向きの前記タッチセンサ方式スクリーンの第２の動きにより、前記タッチセンサ方式スクリーンが、前記電子番組ガイドと前記ビデオ部分が互いに第２のサイズ比を有する、前記第２のサイズ比は前記第１のサイズ比とは異なる、第２のディスプレイ構成で前記ビデオ部分とともに前記電子番組ガイドを表示し、
前記電子番組ガイドは、前記ビデオ部分に表示する番組選択を可能とする複数のユーザ選択可能領域を含む、前記ユーザ選択可能領域のサイズは前記第１と第２のディスプレイ構成において異なる、
方法。
【請求項２５】
前記解釈するステップは、ルックアップテーブルを用いて、前記受け取られた信号に応じた制御コマンドを特定するステップを有する、請求項２４に記載の方法。
【請求項２６】
前記解釈するステップは、追加的に、
前記受け取られた信号に応じて、前記タッチセンサ方式スクリーンの第１と第２の向きの変位を特定するステップと、
前記特定された第１と第２の向きの変位に応じて、それぞれ第１と第２の制御機能を起動するステップとを有する、
請求項２４に記載の方法。
【請求項２７】
前記ディスプレイ機能は前記タッチセンサ方式スクリーンのディスプレイ回転機能を含み、
前記非ディスプレイ機能は、音量変更機能及びオーディオ消音機能の起動のうち少なくとも一方を含む、
請求項２４に記載の方法。
【請求項２８】
前記タッチセンサ方式スクリーンの回転により前記ディスプレイ機能のうちの１つが実行され、
前記タッチセンサ方式スクリーンのツイスト及びチルトのうち少なくとも一方により、前記非ディスプレイ機能のうちの１つが実行される、
請求項２７に記載の方法。